(57)【特許請求の範囲】
【請求項１】
耳を表出させるようにして頭部を覆うべき帽体（１）と、
該帽体（１）の対向する両側部周縁の前側方にそれぞれ端部を取り付け、前記両側部周縁から各耳の前側および各耳の下側を通過して後頭部にかけて連続する後頭部掛け紐（１３）と、
該後頭部掛け紐（１３）の耳近傍の部位にそれぞれ端部が支持され、顎にかけて連続する顎掛け紐（１２）と、
前記後頭部掛け紐（１３）の後頭部部位と前記帽体（１）の後頭部周縁との間に介在し、前記後頭部掛け紐（１３）を支持する支持紐（１４）と、を備え、
前記後頭部掛け紐（１３）が、後頭部部位にて一方および他方に分割され、該分割された各端部にそれぞれ二つの環状穴を有した止め具（１８），（１８）を取り付けるとともに、一方の端部の前記止め具（１８）の各環状穴に他方の中途部を通し、且つ、他方の端部の前記止め具（１８）の各環状穴に一方の中途部を通して長さ調整可能に構成され、
前記支持紐（１４）が、前記帽体（１）の後頭部周縁に両端部を取り付けて略Ｖ字状をなし、環状穴を有する掛止具（２６）が挿通された略Ｖ字状の下端部（１４ｂ）に前記後頭部掛け紐（１３）の分割された一方あるいは他方の中途部が挿通されていることを特徴とするヘルメット。
【請求項２】
前記顎掛け紐（１２）が長さ調整可能に構成されていることを特徴とする請求項１に記載のヘルメット。
【請求項３】
前記顎掛け紐（１２）の中途部分に介在され、前記顎掛け紐（１２）を分離可能とする連結部材（１７）を備えたことを特徴とする請求項１又は２に記載のヘルメット。
【発明の詳細な説明】
【０００１】
【発明の属する技術分野】
本発明は、頭部を保護するヘルメットに係り、特に頭部への装着を安定させる紐類を備えたヘルメットに関するものである。
【０００２】
【従来の技術】
図１１は従来のヘルメットを示す側面図である。
図１１に示すように、従来のヘルメットは、頭部を保護する帽体１０１と、この帽体１０１を頭部に装着させる紐体１０２とを有している。
【０００３】
帽体１０１は、その周縁が、装着者Ａの前頭部から側頭部である耳Ａ２上を介して後頭部に渡って頭部を被覆する。
【０００４】
紐体１０２は、主に耳紐１０３と、顎紐１０４とを備えている。
耳紐１０３は、略Ｕ字状にしてなり、その両端部１０３ａを帽体１０１の両側部周縁にある固定部１０５，１０６に取り付けて耳を囲むようにして設けられている。顎紐１０４は、その両端部１０４ａを各耳紐１０３の中途部分に対して摺動可能となるようにして取り付けられている。そして、ヘルメットを使用する際には、顎紐１０４を顔の前で通すようにして帽体１０１を被り、耳紐１０３を耳の周囲に位置させて、顎に顎紐１０４を掛ける。
【０００５】
【発明が解決しようとする課題】
しかしながら、上述した従来のヘルメットでは、実質的に帽体１０１を頭部に支持しているのは、耳紐１０３を固定する固定部１０５，１０６と、顎紐１０４が顎にかかる部分である。このため、顎紐１０４と固定部１０５との間に支持力が生じた場合には、固定部１０５が下側に引かれて帽体１０１が前方にずれやすく、顎紐１０４と固定部１０６との間に支持力が生じた場合には、固定部１０６が下側に引かれて帽体１０１が後方にずれやすくなってしまう。帽体１０１が前方にずれると視界を遮るとともに後頭部の保護ができなくなり、帽体１０１が後方にずれると前頭部の保護ができなくなる。このように、従来のヘルメットでは、帽体１０１を安定して装着することができなかった。
【０００６】
また、図１１に破線で示すように、各耳紐１０３の間で後頭部を通る位置において、その両端部を各耳紐１０３に対して連結した補助紐１０７を設け、帽体１０１の前方へのずれの防止を期待した構成がある。しかしながら、補助紐１０７を設けても、後方へのずれを防止することができない。また、上記補助紐１０７は、様々な頭部（後頭部）の形状に対応することが難しく上下方向に動いてしまう。ゆえに、補助紐１０７を設けても帽体を安定して装着することができない。
【０００７】
さらに、上記補助紐１０７は、帽体１０１を被る際に頭を通すべき部位を小さくし、且つ、他の紐体１０３，１０４と混在して頭を通すべき部位を確認しにくくするため、帽体１０１の装着が容易でない。
【０００８】
そこで本発明は、上記課題を解消するために、ずれなく安定して装着することができ、さらに、装着し易いヘルメットを提供することを目的としている。
【０００９】
【課題を解決するための手段】
上記目的を達成するため本発明による請求項１に記載のヘルメットは、耳を表出させるようにして頭部を覆うべき帽体（１）と、該帽体（１）の対向する両側部周縁の前側方にそれぞれ端部を取り付け、前記両側部周縁から各耳の前側および各耳の下側を通過して後頭部にかけて連続する後頭部掛け紐（１３）と、該後頭部掛け紐（１３）の耳近傍の部位にそれぞれ端部が支持され、顎にかけて連続する顎掛け紐（１２）と、前記後頭部掛け紐（１３）の後頭部部位と前記帽体（１）の後頭部周縁との間に介在し、前記後頭部掛け紐（１３）を支持する支持紐（１４）と、を備え、前記後頭部掛け紐（１３）が、後頭部部位にて一方および他方に分割され、該分割された各端部にそれぞれ二つの環状穴を有した止め具（１８），（１８）を取り付けるとともに、一方の端部の前記止め具（１８）の各環状穴に他方の中途部を通し、且つ、他方の端部の前記止め具（１８）の各環状穴に一方の中途部を通して長さ調整可能に構成され、前記支持紐（１４）が、前記帽体（１）の後頭部周縁に両端部を取り付けて略Ｖ字状をなし、環状穴を有する掛止具（２６）が挿通された略Ｖ字状の下端部（１４ｂ）に前記後頭部掛け紐（１３）の分割された一方あるいは他方の中途部が挿通されていることを特徴とする。
【００１０】
請求項２に記載のヘルメットは、請求項１の記載において、前記顎掛け紐（１２）が長さ調整可能に構成されていることを特徴とする。
【００１１】
請求項２に記載のヘルメットは、請求項１又は２の記載において、前記顎掛け紐（１２）の中途部分に介在され、前記顎掛け紐（１２）を分離可能とする連結部材（１７）を備えたことを特徴とする。
【００１２】
【発明の実施の形態】
以下、本発明の参考例に係る第一実施の形態を図面を参照して具体的に説明する。
このヘルメットは、頭部を保護する帽体と、この帽体を頭部に装着させる紐体とを有している。
【００１３】
図１はこのヘルメットにおける帽体の一例を示す側断面図、図２は同帽体を示す底面図である。図１および図２に示すように、帽体１は、外帽部材２と、緩衝部材３と、内帽部材４とを有している。
【００１４】
外帽部材２は、帽体１の外形をなすものである。この外帽部材２は、例えば硬質で軽量の合成樹脂材からなり、所定の厚さを有して略半球状に形成されている。外帽部材２の内周縁には、後述の内帽部材４や紐体を係止するピン５が設けられている。ピン５は、細径部分の先端に大径部分を有して、外帽部材２の左右対称位置となる、前方に二箇所（５ａ）、前側方に二箇所（５ｂ）、後側方に二箇所（５ｃ）、後方に二箇所（５ｄ）の計八箇所に設けられている。
【００１５】
緩衝部材３は、前記外帽部材２の内壁に沿って配されるものである。この緩衝部材３は、例えば発泡樹脂などからなり、所定の厚さを有し、外帽部材２の内壁面に沿うように略半球状に形成されている。
【００１６】
内帽部材４は、前記外帽部材２の内側に配されるものである。この内帽部材４は、外帽部材２側に取り付けられる四つの支持アーム６を有している。各支持アーム６は、略逆Ｙ字状に形成され、二股状とされた各下端部６ａが、外帽部材２に設けられた上記各ピン５に係止される。支持アーム６の下端部６ａには、逆ダルマ型の係止穴７が形成され、この係止穴７をピン５の大径部分に挿通し、上方にスライドさせてピン５の小径部分に挿通して大径部分にて抜け止めされる。また、四つの支持アーム６のうちの二つは、各下端部６ａが、ピン５ａとピン５ｂに係止され、残りの二つは、各下端部６ａがピン５ｃとピン５ｄに係止される。ゆえに、各支持アーム６は、図２に示すように、略逆Ｙ字状の上端部６ｂが帽体１の略対角線上で対向する。そして、それぞれ対向する各支持アーム６の上端部６ｂは、支持ベルト８にて連結されている。各支持ベルト８は、外帽部材２の内部上方にてＸ字状に交差する。
【００１７】
また、内帽部材４は、図１および図２にて一点鎖線で示される頭周支持部９を有している。頭周支持部９は、外帽部材２の内周に沿った環状の帯体として形成されている。この頭周支持部９は、各支持アーム６の各下端部６ａ間にて延出されたそれぞれの取付片６ｃに対して取り付けられている。取付片６ｃへの頭周支持部９の取り付けは、図示しないが、例えば取付片６ｃ側に穴が設けられ、この穴に係止する係止爪が頭周支持部９側に設けられていればよい。なお、頭周支持部９の環状の大きさは、適宜可変できるように構成されている。
【００１８】
このように構成された帽体１は、図１にて二点鎖線で示す装着者Ａの頭部に装着される。この状態にて、各支持アーム６を連結してＸ字状に交差した支持ベルト８が、装着者Ａの頭頂Ａ１に当接するとともに、頭周支持部９が、装着者Ａの頭周りに沿って当接する。これにより、外帽部材２および緩衝部材３は、内帽部材４の構成によって装着者Ａの頭部に直接接触することなく浮き上がるようにして装着される。
【００１９】
図３は本発明の参考例に係るヘルメットにおける紐体の第一の例を示す側面図、図４は図３における背面図である。
図３および図４に示すように、紐体１１は、顎掛け紐１２と、後頭部掛け紐１３と、支持紐１４とを有している。
【００２０】
顎掛け紐１２は、長手状の帯紐からなり、帽体１の対向する両側部周縁にそれぞれ端部１２ａが取り付けられる。具体的には、顎掛け紐１２の端部１２ａは、帽体１の外帽部材２に設けられているピン５のうちの前側方のピン５ｂに対し、取付部材１６を介して取り付けられている。取付部材１６は、板片状に形成され、ピン５ｂに係止されるダルマ型の係止穴１６ａと、顎掛け紐１２を通す通し穴１６ｂとが設けられている。この取付部材１６は、図１および図２に示すように、ピン５ｂに対し、支持アーム６を係止する前に係止される。即ち、取付部材１６は、ピン５ｂに係止され、且つ、支持アーム６によってピン５ｂから容易に外れないようになっている。また、顎掛け紐１２の端部１２ａは、取付部材１６の通し穴１６ｂに通されて折り返し状にして縫着されている。このようにして、帽体１に取り付けられた顎掛け紐１２は、図３に示すように、帽体１の両側部周縁から略垂下して装着者Ａの耳Ａ２の前側から顎Ａ３にかけて連続する。
【００２１】
また、顎掛け紐１２は、その中途部分において、着脱可能な連結部材１７が設けられている。これにより、顎掛け紐１２は、連結部材１７を介して分離可能とされている。さらに、顎掛け紐１２は、その長さが調整可能に構成されている。具体的には、顎掛け紐１２を分離する連結部材１７の一方に、顎掛け紐１２の中途部分の端部を折り返し状にして二重にし、この二重とした部分を、二つの環状穴を有した止め具１８に通して止めている。これにより、二重とした部分の輪の大きさを変えることで顎掛け紐１２の長さが調整できる。
【００２２】
後頭部掛け紐１３は、長手状の帯紐からなり、上記顎掛け紐１２の耳近傍の部位に端部１３ａが固定（縫着）されている。この後頭部掛け紐１３は、図３および図４に示すように、顎掛け紐１２に対して略鉛直にして固定され、装着者Ａの各耳Ａ２の下側を略水平に通過して後頭部にかけて連続するように設けられている。
【００２３】
また、後頭部掛け紐１３は、その長さが調整可能に構成されている。具体的には、後頭部掛け紐１３の中途部分を分割し、分割した一方の端部を、二つの環状穴を有した止め具１８の中央の棒体に対して固定し、分割した他方の端部を上記止め具１８に通して止める。これにより、他方の端部の止め具１８への通し位置を変えることで後頭部掛け紐１３の長さが調整できる。
【００２４】
支持紐１４は、後頭部掛け紐１３において、装着者Ａの後頭部Ａ４の部位と、帽体１の後頭部周縁との間に介在されている。支持紐１４は、長手状の帯紐からなり、各端部１４ａが帽体１の後頭部周縁に取り付けられる。具体的には、支持紐１４の端部１４ａは、帽体１の外帽部材２に設けられているピン５のうちの後方のピン５ｄに対し、上述した取付部材１６を介して取り付けられている。
【００２５】
このように、帽体１に取り付けた支持紐１４の中央部を下方に引いて略Ｖ字状とした支持紐１４の下端部１４ｂは、後頭部掛け紐１３の後頭部部位に取り付けられた掛止具１９を介して掛け止められている。掛止具１９は、スリット状の挿通穴１９ａを有し、この挿通穴１９ａと、後頭部掛け紐１３の後頭部部位とに環状とした帯紐２０をともに掛け回して取り付けられている。支持紐１４は、この掛止具１９の挿通穴１９ａに通して掛け止められる。
【００２６】
このように構成されたヘルメットを装着する際には、連結部材１７により顎掛け紐１２を分離し、後頭部掛け紐１３を後頭部Ａ４から耳Ａ２の下側を回すようにしながら帽体１を被り、その後顎掛け紐１２を顎Ａ３に掛けて連結部材１７を連結させる。そして、顎掛け紐１２および後頭部掛け紐１３が緩む場合には、それぞれの長さを調整して、顎掛け紐１２および後頭部掛け紐１３を顎および頭部に密着させる。その後、同ヘルメットを同装着者Ａが装着する場合には、顎掛け紐１２および後頭部掛け紐１３の長さを調整する必要はない。
【００２７】
上述の如く装着されたヘルメットでは、実質的に帽体１を頭部に支持しているのは、顎掛け紐１２となる。これにより、帽体１は、図３にて矢印で示すように、顎掛け紐１２に沿って帽体１の前側方から真下の顎に向かう支持力にて支持されることとなる。ゆえに、帽体１は、頭部に支持される支点が前側寄りとなるため後方へずれが防止される。また、帽体１は、後頭部掛け紐１３によって、前方へのズレが防止される。この後頭部掛け紐１３は、支持紐１４によって帽体１の後頭部側に吊り下げ支持されているため、上下方向に動くことがない。また、支持紐１４が略Ｖ字状とされており、後頭部掛け紐１３を三点支持により安定して支持する。このように、上述したヘルメットによれば、帽体１を頭部に安定して装着させることが可能となる。
【００２８】
また、顎掛け紐１２には、その中途部分を分離可能とする連結部材１７を備えているため、ヘルメットを装着する際に、頭を通すべき間口を十分に得ることができるので、容易に装着することが可能である。
【００２９】
以下、紐体にかかる本発明の参考例に係る第二実施の形態を説明する。
なお、以下に説明する第二実施の形態において、上述した第一実施の形態と同一あるいは同等部分には同一符号を付して説明を省略する。
【００３０】
この第二実施の形態では、略Ｖ字状とした支持紐１４の下端部１４ｂを、後頭部掛け紐１３の後頭部部位に取り付けるための構成が異なる。
図５はこのヘルメットにおける紐体の第二の例を示す側面図、図６は図５における背面図である。
【００３１】
図５および図６に示すように、略Ｖ字状とした支持紐１４の下端部１４ｂは、後頭部掛け紐１３の後頭部部位に対し、掛止具２１を介して取り付けられている。この掛止具２１は、略垂直に平行する二つの長穴からなる挿通穴２１ａと、挿通穴２１ａの上側にて略水平に配された長穴からなる挿通穴２１ｂとを有して、いわゆる三叉の挿通穴２１ａ，２１ｂをなしている。
【００３２】
後頭部掛け紐１３は、後頭部部位となる略中央部分で分割されている。この分割された側の後頭部掛け紐１３の端部１３ｂは、掛止具２１の各挿通穴２１ａにそれぞれ掛け止められている。
【００３３】
分割された後頭部掛け紐１３は、それぞれ長さが調整可能に構成されている。具体的には、分割された各後頭部掛け紐１３が、二つの環状穴を有した止め具１８に通して止められるとともに、分割された各後頭部掛け紐１３の端部が、掛止具２１の挿通穴２１ａを介して折り返し状にして止め具１８の中央の棒体に固定されている。これにより、止め具１８と掛止具２１の間の各後頭部掛け紐１３がなす輪の大きさを変えることで各後頭部掛け紐１３の長さが調整できる。
【００３４】
また、支持紐１４は、略Ｖ字状とした下端部１４ｂは、掛止具２１の挿通穴２１ｂに掛け止められている。
【００３５】
このように構成されたヘルメットを装着する際には、連結部材１７により顎掛け紐１２を分離し、後頭部掛け紐１３を後頭部Ａ４から耳Ａ２の下側を回すようにしながら帽体１を被り、その後顎掛け紐１２を顎Ａ３に掛けて連結部材１７を連結させる。そして、顎掛け紐１２および後頭部掛け紐１３が緩む場合には、それぞれの長さを調整して、顎掛け紐１２および後頭部掛け紐１３を顎および頭部に密着させる。その後、同ヘルメットを同装着者Ａが装着する場合には、顎掛け紐１２および後頭部掛け紐１３の長さを調整する必要はない。
【００３６】
上述の如く装着された第二実施の形態におけるヘルメットでは、実質的に帽体１を頭部に支持しているのは、顎掛け紐１２となる。これにより、帽体１は、図５にて矢印で示すように、顎掛け紐１２に沿って帽体１の前側方から真下の顎に向かう支持力にて支持されることとなる。ゆえに、帽体１は、頭部に支持される支点が前側寄りとなるため後方へずれが防止される。また、帽体１は、後頭部掛け紐１３によって、前方へのズレが防止される。この後頭部掛け紐１３は、支持紐１４によって帽体１の後頭部側に吊り下げ支持されているため、上下方向に動くことがない。また、支持紐１４が略Ｖ字状とされており、後頭部掛け紐１３を三点支持により安定して支持する。このように、上述したヘルメットによれば、帽体１を頭部に安定して装着させることが可能となる。
【００３７】
また、顎掛け紐１２には、その中途部分を分離可能とする連結部材１７を備えているため、ヘルメットを装着する際に、頭を通すべき間口を十分に得ることができるので、容易に装着することが可能である。
【００３８】
以下、紐体にかかる本発明の参考例に係る第三実施の形態を説明する。
なお、以下に説明する第三実施の形態において、上述した第一実施の形態と同一あるいは同等部分には同一符号を付して説明を省略する。
【００３９】
この第三実施の形態では、略Ｖ字状とした支持紐１４の下端部１４ｂを、後頭部掛け紐１３の後頭部部位に取り付けるための構成が異なる。
図７は本発明のヘルメットにおける紐体の第三の例を示す側面図、図８は図７における背面図である。
【００４０】
図７および図８に示すように、略Ｖ字状とした支持紐１４の下端部１４ｂは、後頭部掛け紐１３の後頭部部位に対し、掛止具２２を介して取り付けられている。この掛止具２２は、逆ハ字状に配された二重の平行な長穴からなる挿通穴２２ａと、挿通穴２２ａの上側にて略水平に配された二重の平行な長穴からなる挿通穴２２ｂとを有して、いわゆる三叉の挿通穴２２ａ，２２ｂをなしている。
【００４１】
後頭部掛け紐１３は、後頭部部位となる略中央部分で分割されている。この分割された側の後頭部掛け紐１３の端部１３ｂは、掛止具２２の二重の挿通穴２２ａにそれぞれ掛け止められている。
【００４２】
分割された後頭部掛け紐１３は、それぞれ長さが調整可能に構成されている。具体的には、分割された各後頭部掛け紐１３が、二つの環状穴を有した止め具１８に通して止められるとともに、分割された各後頭部掛け紐１３の端部が、掛止具２１の挿通穴２１ａを介して折り返し状にして止め具１８の中央の棒体に固定されている。これにより、止め具１８と掛止具２１の間の各後頭部掛け紐１３がなす輪の大きさを変えることで各後頭部掛け紐１３の長さが調整できる。
【００４３】
また、支持紐１４は、略Ｖ字状とした下端部１４ｂは、掛止具２２の二重の挿通穴２２ｂに掛け止められている。
【００４４】
このように構成されたヘルメットを装着する際には、連結部材１７により顎掛け紐１２を分離し、後頭部掛け紐１３を後頭部Ａ４から耳Ａ２の下側を回すようにしながら帽体１を被り、その後顎掛け紐１２を顎Ａ３に掛けて連結部材１７を連結させる。そして、顎掛け紐１２および後頭部掛け紐１３が緩む場合には、それぞれの長さを調整して、顎掛け紐１２および後頭部掛け紐１３を顎および頭部に密着させる。その後、同ヘルメットを同装着者Ａが装着する場合には、顎掛け紐１２および後頭部掛け紐１３の長さを調整する必要はない。
【００４５】
上述の如く装着された第三実施の形態におけるヘルメットでは、実質的に帽体１を頭部に支持しているのは、顎掛け紐１２となる。これにより、帽体１は、図５にて矢印で示すように、顎掛け紐１２に沿って帽体１の前側方から真下の顎に向かう支持力にて支持されることとなる。ゆえに、帽体１は、頭部に支持される支点が前側寄りとなるため後方へずれが防止される。また、帽体１は、後頭部掛け紐１３によって、前方へのズレが防止される。この後頭部掛け紐１３は、支持紐１４によって帽体１の後頭部側に吊り下げ支持されているため、上下方向に動くことがない。また、支持紐１４が略Ｖ字状とされており、後頭部掛け紐１３を三点支持により安定して支持する。このように、上述したヘルメットによれば、帽体１を頭部に安定して装着させることが可能となる。
【００４６】
また、後頭部掛け紐１３と支持紐１４とを共に掛け止める掛止具２２は、分割された後頭部掛け紐１３の各端部１３ｂを逆ハ字状の挿通穴２２ａにて掛け止めている。これにより、顎掛け紐１２から略水平にして耳Ａ２の下側を通過した後頭部掛け紐１３は、端部１３ｂ近傍にて後頭部Ａ４に沿って湾曲して上方に向く。したがって、後頭部掛け紐１３が、耳Ａ２の下側から後頭部Ａ４に掛けて頭部の形状に沿うので、帽体１を頭部にさらに安定して装着されることが可能となる。なお、各挿通穴２２ａ，２２ｂは、二重に平行する長穴からなるため、挿通した各掛け紐１３，１４を遊動させることなく掛止することができる。
【００４７】
また、顎掛け紐１２には、その中途部分を分離可能とする連結部材１７を備えているため、ヘルメットを装着する際に、頭を通すべき間口を十分に得ることができるので、容易に装着することが可能である。
【００４８】
以下、紐体にかかる本発明の実施の形態に係る第四実施の形態を説明する。
なお、以下に説明する第四実施の形態において、上述した第一実施の形態と同一あるいは同等部分には同一符号を付して説明を省略する。
【００４９】
図９は本発明のヘルメットにおける紐体の第四の例を示す側面図、図１０は図９における背面図である。
図９および図１０に示すように、紐体１１は、顎掛け紐１２と、後頭部掛け紐１３と、支持紐１４とを有している。
【００５０】
後頭部掛け紐１３は、長手状の帯紐からなり、帽体１の対向する両側部周縁にそれぞれ端部１３ａが取り付けられる。具体的には、後頭部掛け紐１３の端部１３ａは、帽体１の外帽部材２に設けられているピン５のうちの前側方のピン５ｂに対し、取付部材１６を介して取り付けられている。取付部材１６は、板片状に形成され、ピン５ｂに係止されるダルマ型の係止穴１６ａと、後頭部掛け紐１３を通す通し穴１６ｂとが設けられている。この取付部材１６は、図１および図２に示すように、ピン５ｂに対し、支持アーム６を係止する前に係止される。即ち、取付部材１６は、ピン５ｂに係止され、且つ、支持アーム６によってピン５ｂから容易に外れないようになっている。また、後頭部掛け紐１３の端部１３ａは、取付部材１６の通し穴１６ｂに通されて折り返し状にして縫着されている。このようにして、帽体１に取り付けられた後頭部掛け紐１３は、図９に示すように、装着者Ａの耳Ａ２の前側および耳Ａ２の下側を通過して後頭部にかけて連続する。
【００５１】
また、後頭部掛け紐１３は、その長さが調整可能に構成されている。具体的には、後頭部掛け紐１３を後頭部部位にて分割し、分割した一方の端部および他方の端部に、二つの環状穴を有した止め具１８をそれぞれ取り付ける。そして、一方の端部の止め具１８の各環状穴に、分割した後頭部掛け紐１３の他方の中途部を通し、且つ、他方の端部の止め具１８の各環状穴に、分割した後頭部掛け紐１３の一方の中途部を通して、一方と他方を重ねるようにしている。これにより、後頭部掛け紐１３に張力が生じている時には止め具１８によって長さが維持され、張力をなくして各止め具１８同士を近接あるいは離間させることにより長さが容易に調整できる。
【００５２】
顎掛け紐１２は、長手状の帯紐からなり、上記後頭部掛け紐１３の耳近傍の部位に端部１２ａが支持されて顎Ａ３にかけて連続するように設けられている。なお、顎掛け紐１２の端部１２ａの支持は、例えば、端部１２ａを後頭部掛け紐１３に対して折り返し状に掛けてホック２５で留められている。即ち、顎掛け紐１２は、端部１２ａが後頭部掛け紐１３に沿って移動可能に支持されている。
【００５３】
また、顎掛け紐１２は、その中途部分において、着脱可能な連結部材１７が設けられている。これにより、顎掛け紐１２は、連結部材１７を介して分離可能とされている。さらに、顎掛け紐１２は、その長さが調整可能に構成されている。具体的には、顎掛け紐１２を分離する連結部材１７の一方に、顎掛け紐１２の中途部分の端部を折り返し状にして二重にし、この二重とした部分を、二つの環状穴を有した止め具１８に通して止めている。これにより、二重とした部分の輪の大きさを変えることで顎掛け紐１２の長さが調整できる。
【００５４】
支持紐１４は、後頭部掛け紐１３において、装着者Ａの後頭部Ａ４の部位と、帽体１の後頭部周縁との間に介在されている。支持紐１４は、長手状の帯紐からなり、各端部１４ａが帽体１の後頭部周縁に取り付けられる。具体的には、支持紐１４の端部１４ａは、帽体１の外帽部材２に設けられているピン５のうちの後側方のピン５ｃに対し、上述した取付部材１６を介して取り付けられている。
【００５５】
このように、帽体１に取り付けた支持紐１４の中央部を下方に引いて略Ｖ字状とした支持紐１４の下端部１４ｂには、後頭部掛け紐１３の後頭部部位にて分割された一方あるいは他方の中途部が挿通される。本実施の形態では、図１０に示すように、掛止具２６に挿通された支持紐１４の下端部１４ｂに後頭部掛け紐１３が挿通されている。掛止具２６は、二つの環状穴を有し、各環状穴に支持紐１４の下端部１４ｂが挿通される。この掛止具２６を用いることにより、支持紐１４の略Ｖ字状の形状が安定して得られる。なお、掛止具２６が、一つの環状穴を有した構成で、この環状穴に支持紐１４の下端部１４ｂを挿通するようにしてもよい。
【００５６】
このように構成されたヘルメットを装着する際には、連結部材１７により顎掛け紐１２を分離し、後頭部掛け紐１３を後頭部Ａ４から耳Ａ２の下側を回すようにしながら帽体１を被り、その後顎掛け紐１２を顎Ａ３に掛けて連結部材１７を連結させる。そして、顎掛け紐１２および後頭部掛け紐１３が緩む場合には、それぞれの長さを調整して、顎掛け紐１２および後頭部掛け紐１３を顎および頭部に密着させる。その後、同ヘルメットを同装着者Ａが装着する場合には、顎掛け紐１２および後頭部掛け紐１３の長さを調整する必要はない。
【００５７】
上述の如く装着された第四実施の形態におけるヘルメットでは、実質的に帽体１を頭部に支持しているのは、帽体１の前側方に固定された後頭部掛け紐１３の端部１３から連なる顎掛け紐１２となる。これにより、帽体１は、図９にて矢印で示すように、帽体１の前側方から真下の顎に向かう支持力にて支持されることとなる。ゆえに、帽体１は、頭部に支持される支点が前側寄りとなるため後方へずれが防止される。また、帽体１は、後頭部掛け紐１３によって、前方へのズレが防止される。この後頭部掛け紐１３は、支持紐１４によって帽体１の後頭部側に吊り下げ支持されているため、上下方向に動くことがない。さらに、後頭部掛け紐１３は、後頭部部位にて分割された一方あるいは他方が支持紐１４に挿通されて支持紐１４に引き上げられ、挿通されていない方が顎掛け紐１２による引っ張りによって引き下げられて上下に分かれるので後頭部を広範囲で支持する。また、支持紐１４が略Ｖ字状とされており、後頭部掛け紐１３を三点支持により安定して支持する。このように、上述したヘルメットによれば、帽体１を頭部に安定して装着させることが可能となる。
【００５８】
また、顎掛け紐１２には、その中途部分を分離可能とする連結部材１７を備えているため、ヘルメットを装着する際に、頭を通すべき間口を十分に得ることができるので、容易に装着することが可能である。
【００５９】
なお、上述した第一乃至第三実施の形態は、顎掛け紐１２の端部１２ａが帽体１に固定され、この顎掛け紐１２に後頭部掛け紐１３の端部１３ａが固定されている。これに限らず、上述した第四実施の形態のように後頭部掛け紐１３の端部１３ａを帽体１に固定し、この後頭部掛け紐１３に顎掛け紐１２の端部１２ａを支持してもよい。逆に、第四の実施の形態の上記顎掛け紐１２および後頭部掛け紐１３の構成を第一乃至第三実施の形態のようにしてもよい。
【００６０】
また、上述した第一乃至第三実施の形態では、支持紐１４の端部１４ａが帽体１の後方のピン５ｄに取り付けられているが、上述した第四実施の形態のように後側方のピン５ｃに取り付けてもよい。逆に、第四の実施の形態の上記支持紐１４の端部１４ａの取り付け位置を上述した第一乃至第三実施の形態のようにしてもよい。
【００６１】
また、上述した全ての実施の形態において、支持紐１４は略Ｖ字状とされた構成に限らず、後頭部掛け紐１３の後頭部Ａ４の部位と帽体１の後頭部周縁との間に介在し、後頭部掛け紐１３を支持する構成であればよい。
【００６２】
【発明の効果】
以上説明したように本発明によるヘルメットは、頭部を覆うべき帽体の両側部周縁の前側方から各耳の前側および各耳の下側を通過して後頭部にかけて連続する後頭部掛け紐と、後頭部掛け紐の耳近傍の部位から顎にかけて連続する顎掛け紐と、後頭部掛け紐を帽体の後頭部周縁との間に支持する支持紐とを備えた。これによれば、帽体を頭部に装着した際、帽体が後頭部掛け紐から連なる顎掛け紐に沿って前側方から下方の顎に向かう支持力にて支持され、頭部に支持される支点が前側寄りとなるため後方へのずれが防止される。また、帽体は、後頭部掛け紐によって、前方へのズレが防止される。後頭部掛け紐は、支持紐によって帽体の後頭部側に吊り下げ支持されているため、上下方向に動くことがない。このように、本発明のヘルメットは、帽体を頭部に安定して装着させることができる。
【００６３】
また、前記支持紐は、帽体の後頭部周縁に両端部を取り付けて略Ｖ字状をなす下端部に後頭部掛け紐を取り付けて支持している。これにより、後頭部掛け紐を三点支持により、後頭部掛け紐をずれなく安定して支持することができる。
【００６４】
また、後頭部掛け紐が、後頭部部位にて一方および他方に分割された端部にそれぞれ二つの環状穴を有した止め具を取り付けるとともに、一方の端部の止め具の各環状穴に他方の中途部を通し、且つ、他方の端部の止め具の各環状穴に一方の中途部を通して長さ調整可能に構成され、支持紐の下端部に、後頭部掛け紐の分割された一方あるいは他方の中途部が挿通されている構成としている。これにより、後頭部掛け紐に張力が生じている時には止め具によってその長さが維持され、張力をなくして各止め具同士を近接あるいは離間させることでその長さが容易に調整できる。また、後頭部掛け紐は、後頭部部位にて分割された一方あるいは他方が支持紐に挿通されて支持紐に引き上げられ、挿通されていない方が顎掛け紐による引っ張りによって引き下げられて上下に分かれるので後頭部を広範囲で支持することができる。
【００６５】
また、左右に分割された後頭部掛け紐の左右の部分が、左右の止め具１８、１８部分で左右各別に長さ調整自在であり、支持紐１４の長さも掛止具２６の位置を上下に調整させることにより調整自在であることから、様々な装着者の頭部の形状および大きさに対応して、帽体を安定して支持させることができる。
【００６６】
また、顎掛け紐には、その中途部分を分離可能とする連結部材を備えているため、ヘルメットを装着する際に、頭を通すべき間口を十分に得ることができるので、容易に装着することができる。さらに、この連結部材を備えたことにより、、ヘルメットを装着する際に、顎掛け紐および後頭部掛け紐を一旦長くして緩めた状態で装着する必要がなくなるので、その後、同ヘルメットを同装着者が装着する場合に、容易な装着を可能にできる。
【図面の簡単な説明】
【図１】本発明の参考例に係るヘルメットにおける帽体の一例を示す側断面図。
【図２】同帽体を示す底面図。
【図３】本発明の参考例に係るヘルメットにおける紐体の第一の例を示す側面図。
【図４】図３における背面図。
【図５】本発明の参考例にかかるヘルメットにおける紐体の第二の例を示す側面図。
【図６】図５における背面図。
【図７】本発明の参考例に係るヘルメットにおける紐体の第三の例を示す側面図。
【図８】図７における背面図。
【図９】本発明の実施例に係るヘルメットにおける紐体の第四の例を示す側面図。
【図１０】図９における背面図。
【図１１】従来のヘルメットを示す側面図。
【符号の説明】
１…帽体、１２…顎掛け紐、１２ａ…端部、１３…後頭部掛け紐、１３ａ…端部、１４…支持紐、１４ａ…端部、１７…連結部材、１８…止め具、１９，２１，２２…掛止具、１９ａ，２１ａ，２１ｂ，２２ａ，２２ｂ…挿通穴、２６…掛止具、Ａ２…耳、Ａ３…顎、Ａ４…後頭部。
【図１】
0003568915.tif 000002
【図２】
0003568915.tif 000003
【図３】
0003568915.tif 000004
【図４】
0003568915.tif 000005
【図５】
0003568915.tif 000006
【図６】
0003568915.tif 000007
【図７】
0003568915.tif 000008
【図８】
0003568915.tif 000009
【図９】
0003568915.tif 000010
【図１０】
0003568915.tif 000011
【図１１】
0003568915.tif 000012